【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、免許不要帯域において使用するためのアップリンク再同期手順を特定する指示を受信することと、
前記ＵＥによって、送信のためのデータを検出したことに応答して、拡張クリアチャネル判定（ＥＣＣＡ）チェックを実行することと、
前記ＵＥによって、前記アップリンク再同期手順において定められる再同期境界よりも前に前記ＥＣＣＡチェックを成功裏に完了したことに応答して、送信を遅らせることと、
前記ＵＥによって、前記再同期境界に先立つサブフレームにおいて、クリアチャネル判定（ＣＣＡ）チェックを実行することと、
前記ＵＥによって、前記ＣＣＡチェックを成功裏に完了したことに応答して、前記再同期境界において始まる前記データを送信することと、
を備える方法。
【請求項２】
前記指示は、フレームまたはサブフレームのうちの一方に関する前記アップリンク再同期手順の使用を示す、請求項１に記載の方法。
【請求項３】
前記指示は、
システム報知メッセージを通じて、
半静的なシグナリングを通じて、または
動的なシグナリングを通じて
のうちの１つで受信される、請求項１に記載の方法。
【請求項４】
前記指示は、ＵＥ固有のサーチ空間を通じて受信される、請求項１に記載の方法。
【請求項５】
前記ＵＥによって、前記指示の受信後に後続のフレームにおいて後続の状態指示を受信すること、ここにおいて、前記後続の状態指示は、前記アップリンク再同期手順の非アクティブ化を示す、
をさらに含む、請求項１に記載の方法。
【請求項６】
前記指示は、単一のフレーム内に２つ以上の再同期境界を有する前記アップリンク再同期手順の構成に対応する、請求項１に記載の方法。
【請求項７】
前記アップリンク再同期手順の前記構成は、前記ＵＥへと関連付けられて割り当てられたアップリンク／ダウンリンクサブフレーム構成に対応する、請求項６に記載の方法。
【請求項８】
前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信すること、
をさらに含む、請求項６に記載の方法。
【請求項９】
ワイヤレス通信のために構成された装置であって、
ユーザ機器（ＵＥ）において、免許不要帯域において使用するためのアップリンク再同期手順を特定する指示を受信するための手段と、
前記ＵＥによって、送信のためのデータを検出したことに応答して、拡張クリアチャネル判定（ＥＣＣＡ）チェックを実行するための手段と、
前記ＵＥによって、前記アップリンク再同期手順において定められる再同期境界よりも前に前記ＥＣＣＡチェックを成功裏に完了したことに応答して、送信を遅らせるための手段と、
前記ＵＥによって、前記再同期境界に先立つサブフレームにおいて、クリアチャネル判定（ＣＣＡ）チェックを実行するための手段と、
前記ＵＥによって、前記ＣＣＡチェックを成功裏に完了したことに応答して、前記再同期境界において始まる前記データを送信するための手段と、
を備える装置。
【請求項１０】
前記指示は、フレームまたはサブフレームのうちの一方に関する前記アップリンク再同期手順の使用を示す、請求項９に記載の装置。
【請求項１１】
前記指示は、
システム報知メッセージを通じて、
半静的なシグナリングを通じて、または
動的なシグナリングを通じて
のうちの１つで受信される、請求項９に記載の装置。
【請求項１２】
前記指示は、ＵＥ固有のサーチ空間を通じて受信される、請求項９に記載の装置。
【請求項１３】
前記ＵＥによって、前記指示を受信するための手段の後に後続のフレームにおいて後続の状態指示を受信するための手段、ここにおいて、前記後続の状態指示は、前記アップリンク再同期手順の非アクティブ化を示す、
をさらに含む、請求項９に記載の装置。
【請求項１４】
前記指示は、単一のフレーム内に２つ以上の再同期境界を有する前記アップリンク再同期手順の構成に対応する、請求項９に記載の装置。
【請求項１５】
請求項１−８のいずれか一項にしたがった方法を実行するための命令を備えるコンピュータプログラム。
【手続補正２】
【補正対象書類名】明細書
【補正対象項目名】００７４
【補正方法】変更
【補正の内容】
【００７４】
[0082]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変種にも適用され得る。したがって、本開示は、本明細書に記載の例および設計に限られるものではなく、本明細書に開示の原理および新規な特徴に矛盾しない最も広い範囲が与えられるべきである。
以下に本願の出願当初の特許請求の範囲に記載された発明を付記する。
［Ｃ１］
ワイヤレス通信の方法であって、
ユーザ機器（ＵＥ）において、免許不要帯域において使用するためのアップリンク再同期手順を特定する指示を受信することと、
前記ＵＥによって、送信のためのデータを検出したことに応答して、拡張クリアチャネル判定（ＥＣＣＡ）チェックを実行することと、
前記ＵＥによって、前記アップリンク再同期手順において定められる再同期境界よりも前に前記ＥＣＣＡチェックを成功裏に完了したことに応答して、送信を遅らせることと、
前記ＵＥによって、前記再同期境界に先立つサブフレームにおいて、クリアチャネル判定（ＣＣＡ）チェックを実行することと、
前記ＵＥによって、前記ＣＣＡチェックを成功裏に完了したことに応答して、前記再同期境界において始まる前記データを送信することと、
を備える方法。
［Ｃ２］
前記指示は、フレームまたはサブフレームのうちの一方に関する前記アップリンク再同期手順の使用を示す、Ｃ１に記載の方法。
［Ｃ３］
前記指示は、
システム報知メッセージを通じて、
半静的なシグナリングを通じて、または
動的なシグナリングを通じて
のうちの１つで受信される、Ｃ１に記載の方法。
［Ｃ４］
前記指示は、ＵＥ固有のサーチ空間を通じて受信される、Ｃ１に記載の方法。
［Ｃ５］
前記ＵＥによって、前記指示の受信後に後続のフレームにおいて後続の状態指示を受信すること、ここにおいて、前記後続の状態指示は、前記アップリンク再同期手順の非アクティブ化を示す、
をさらに含む、Ｃ１に記載の方法。
［Ｃ６］
前記指示は、単一のフレーム内に２つ以上の再同期境界を有する前記アップリンク再同期手順の構成に対応する、Ｃ１に記載の方法。
［Ｃ７］
前記アップリンク再同期手順の前記構成は、前記ＵＥへと関連付けられて割り当てられたアップリンク／ダウンリンクサブフレーム構成に対応する、Ｃ６に記載の方法。
［Ｃ８］
前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信すること、
をさらに含む、Ｃ６に記載の方法。
［Ｃ９］
ワイヤレス通信のために構成された装置であって、
ユーザ機器（ＵＥ）において、免許不要帯域において使用するためのアップリンク再同期手順を特定する指示を受信するための手段と、
前記ＵＥによって、送信のためのデータを検出したことに応答して、拡張クリアチャネル判定（ＥＣＣＡ）チェックを実行するための手段と、
前記ＵＥによって、前記アップリンク再同期手順において定められる再同期境界よりも前に前記ＥＣＣＡチェックを成功裏に完了したことに応答して、送信を遅らせるための手段と、
前記ＵＥによって、前記再同期境界に先立つサブフレームにおいて、クリアチャネル判定（ＣＣＡ）チェックを実行するための手段と、
前記ＵＥによって、前記ＣＣＡチェックを成功裏に完了したことに応答して、前記再同期境界において始まる前記データを送信するための手段と、
を備える装置。
［Ｃ１０］
前記指示は、フレームまたはサブフレームのうちの一方に関する前記アップリンク再同期手順の使用を示す、Ｃ９に記載の装置。
［Ｃ１１］
前記指示は、
システム報知メッセージを通じて、
半静的なシグナリングを通じて、または
動的なシグナリングを通じて
のうちの１つで受信される、Ｃ９に記載の装置。
［Ｃ１２］
前記指示は、ＵＥ固有のサーチ空間を通じて受信される、Ｃ９に記載の装置。
［Ｃ１３］
前記ＵＥによって、前記指示を受信するための手段の後に後続のフレームにおいて後続の状態指示を受信するための手段、ここにおいて、前記後続の状態指示は、前記アップリンク再同期手順の非アクティブ化を示す、
をさらに含む、Ｃ９に記載の装置。
［Ｃ１４］
前記指示は、単一のフレーム内に２つ以上の再同期境界を有する前記アップリンク再同期手順の構成に対応する、Ｃ９に記載の装置。
［Ｃ１５］
プログラムコードが記録された非一時的なコンピュータ読取可能な媒体であって、
前記プログラムコードは、
コンピュータに、ユーザ機器（ＵＥ）において、免許不要帯域において使用するためのアップリンク再同期手順を特定する指示を受信させるためのプログラムコードと、
前記コンピュータに、前記ＵＥによって、送信のためのデータを検出したことに応答して、拡張クリアチャネル判定（ＥＣＣＡ）チェックを実行させるためのプログラムコードと、
前記コンピュータに、前記ＵＥによって、前記アップリンク再同期手順において定められる再同期境界よりも前に前記ＥＣＣＡチェックを成功裏に完了したことに応答して、送信の遅延を生じさせるためのプログラムコードと、
前記コンピュータに、前記ＵＥによって、前記再同期境界に先立つサブフレームにおいて、クリアチャネル判定（ＣＣＡ）チェックを実行させるためのプログラムコードと、
前記コンピュータに、前記ＵＥによって、前記ＣＣＡチェックを成功裏に完了したことに応答して、前記再同期境界において始まる前記データを送信させるためのプログラムコードと、
を備える、非一時的なコンピュータ読取可能な媒体。
［Ｃ１６］
前記指示は、フレームまたはサブフレームのうちの一方に関する前記アップリンク再同期手順の使用を示す、Ｃ１５に記載の非一時的なコンピュータ読取可能な媒体。
［Ｃ１７］
前記指示は、
システム報知メッセージを通じて、
半静的なシグナリングを通じて、または
動的なシグナリングを通じて
のうちの１つで受信される、Ｃ１５に記載の非一時的なコンピュータ読取可能な媒体。
［Ｃ１８］
前記指示は、ＵＥ固有のサーチ空間を通じて受信される、Ｃ１５に記載の非一時的なコンピュータ読取可能な媒体。
［Ｃ１９］
前記コンピュータに、前記ＵＥによって、前記指示の受信後に後続のフレームにおいて後続の状態指示を受信させるためのプログラムコード、ここにおいて、前記後続の状態指示は、前記アップリンク再同期手順の非アクティブ化を示す、
をさらに含む、Ｃ１５に記載の非一時的なコンピュータ読取可能な媒体。
［Ｃ２０］
前記指示は、単一のフレーム内に２つ以上の再同期境界を有する前記アップリンク再同期手順の構成に対応する、Ｃ１５に記載の非一時的なコンピュータ読取可能な媒体。
［Ｃ２１］
前記アップリンク再同期手順の前記構成は、前記ＵＥへと関連付けられて割り当てられたアップリンク／ダウンリンクサブフレーム構成に対応する、Ｃ２０に記載の非一時的なコンピュータ読取可能な媒体。
［Ｃ２２］
前記コンピュータに、前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信させるためのプログラムコード、
をさらに含む、Ｃ２０に記載の非一時的なコンピュータ読取可能な媒体。
［Ｃ２３］
ワイヤレス通信のために構成された装置であって、
少なくとも１つのプロセッサと、
前記少なくとも１つのプロセッサに接続されたメモリと
を備えており、
ここにおいて、前記少なくとも１つのプロセッサは、
ユーザ機器（ＵＥ）において、免許不要帯域において使用するためのアップリンク再同期手順を特定する指示を受信し、
前記ＵＥによって、送信のためのデータを検出したことに応答して、拡張クリアチャネル判定（ＥＣＣＡ）チェックを実行し、
前記ＵＥによって、前記アップリンク再同期手順において定められる再同期境界よりも前に前記ＥＣＣＡチェックを成功裏に完了したことに応答して、送信を遅らせ、
前記ＵＥによって、前記再同期境界に先立つサブフレームにおいて、クリアチャネル判定（ＣＣＡ）チェックを実行し、
前記ＵＥによって、前記ＣＣＡチェックを成功裏に完了したことに応答して、前記再同期境界において始まる前記データを送信する、
ように構成されている、装置。
［Ｃ２４］
前記指示は、フレームまたはサブフレームのうちの一方に関する前記アップリンク再同期手順の使用を示す、Ｃ２３に記載の装置。
［Ｃ２５］
前記指示は、
システム報知メッセージを通じて、
半静的なシグナリングを通じて、または
動的なシグナリングを通じて
のうちの１つで受信される、Ｃ２３に記載の装置。
［Ｃ２６］
前記指示は、ＵＥ固有のサーチ空間を通じて受信される、Ｃ２３に記載の装置。
［Ｃ２７］
前記ＵＥによって、前記指示の受信後に後続のフレームにおいて後続の状態指示を受信するための前記少なくとも１つのプロセッサの構成、ここにおいて、前記後続の状態指示は、前記アップリンク再同期手順の非アクティブ化を示す、
をさらに含む、Ｃ２３に記載の装置。
［Ｃ２８］
前記指示は、単一のフレーム内に２つ以上の再同期境界を有する前記アップリンク再同期手順の構成に対応する、Ｃ２３に記載の装置。
［Ｃ２９］
前記アップリンク再同期手順の前記構成は、前記ＵＥへと関連付けられて割り当てられたアップリンク／ダウンリンクサブフレーム構成に対応する、Ｃ２８に記載の装置。
［Ｃ３０］
前記ＵＥによって、第１のアップリンクサブフレームの後の前記単一のフレーム内に定められた１つ以上の再同期境界に先立つ所定の持続時間について送信を控えるように前記ＵＥに示すアイドル指示を受信するための前記少なくとも１つのプロセッサの構成、
をさらに含む、Ｃ２８に記載の装置。